(57)【特許請求の範囲】
【請求項１】
携帯端末機であって、
複数のキーを含むキーパッドを表示するタッチスクリーンと、
前記携帯端末機の水平モードが終了する場合に、水平モードで画面上の左側又は右側に配置されたキーパッドを記憶するメモリと、
前記携帯端末機の垂直モードにおいて、前記キーパッドを前記タッチスクリーンの画面の下端に表示し、前記携帯端末機が水平モードに切り換わると、前記タッチスクリーンを制御して、デフォルトとして設定されたキーパッド又は以前の水平モードに従って前記キーパッドを前記タッチスクリーンの左側及び右側の各領域に分離し、前記タッチスクリーンに表示された前記キーパッドの前記各領域間の領域にキーを表示しない分離されたキーパッドを表示する制御部と、を有し、
前記制御部は、前記キーパッドの分離された領域のうちの第１の領域に位置した第１のキーの列がホールドされ、前記ホールドされた第１のキーの列が第１の方向にドラッグされ、画面上の中央線を通過した直後にドラッグが終了する場合、前記ドラッグされた第１のキーの列を、前記キーパッドの分離された領域のうちの第２の領域の前記第１の領域と対向する側に再配置し、
前記第２の領域に配置されたキーパッド内で前記ドラッグが終了する場合、前記ドラッグされた第１のキーの列を、前記ドラッグが終了した地点に配置された第２のキーの列の前又は次の列に再配置するように制御することを特徴とする携帯端末機。
【請求項２】
前記キーパッドを前記タッチスクリーンの左側及び右側の各領域に分離した状態で、前記タッチスクリーンの前記右側に表示された第１の領域から前記タッチスクリーンの前記左側に表示された第２の領域に、ユーザにより選択された特定のキーの列の位置変更に対するホールドアンドドラッグ動作に応じて、前記タッチスクリーンの前記右側に表示された第１の領域から前記タッチスクリーンの前記左側に表示された第２の領域に前記選択された特定のキーの列の位置表示を変更し、
前記タッチスクリーンの前記左側に表示された第２の領域から前記タッチスクリーンの前記右側に表示された第１の領域に、ユーザにより選択された特定のキーの列の位置変更に対するホールドアンドドラッグ動作に応じて、前記タッチスクリーンの前記左側に表示された第２の領域から前記タッチスクリーンの前記右側に表示された第１の領域に前記選択された特定のキーの列の位置表示を変更することを特徴とする請求項１に記載の携帯端末機。
【請求項３】
前記制御部は、水平モードにおいて、前記タッチスクリーンの左側及び右側の内の少なくともいずれか一側に縦列単位で分離して配置されるキーパッドを、ホールドアンドドラッグ（ｈｏｌｄ  ａｎｄ  ｄｒａｇ）動作を介して縦列単位のキーパッドをドラッグされた方向に移動して表示するように制御することを特徴とする請求項１に記載の携帯端末機。
【請求項４】
前記制御部は、前記水平モードにおいて、前記タッチスクリーンの左側に配置された縦列単位のキーパッドの内の所定のキーパッドに対してホールドアンドドラッグ動作が右方向に向けて発生する場合、前記タッチスクリーンにてホールドされた所定の縦列単位のキーパッドをドラッグされた右方向に移動させることにより、前記ホールドされた所定の縦列単位のキーパッドを前記タッチスクリーンの右側に表示するように制御することを特徴とする請求項３に記載の携帯端末機。
【請求項５】
前記制御部は、前記水平モードにおいて、前記タッチスクリーンの左側に配置された縦列単位のキーパッドの内の所定のキーパッドに対してホールドアンドドラッグ動作が左方向に向けて発生する場合、前記タッチスクリーンにてホールドされた所定の縦列単位のキーパッドをドラッグされた左方向に移動させることにより、前記ホールドされた所定の縦列単位のキーパッドを前記タッチスクリーンの左側に配置された縦列単位のキーパッドの変更された位置で表示するように制御することを特徴とする請求項３に記載の携帯端末機。
【請求項６】
前記制御部は、前記水平モードにおいて、前記タッチスクリーンの右側に配置された縦列単位のキーパッドの内の所定のキーパッドに対してホールドアンドドラッグ動作が左方向に向けて発生する場合、前記タッチスクリーンにてホールドされた所定の縦列単位のキーパッドをドラッグされた左方向に移動させることにより、前記ホールドされた所定の縦列単位のキーパッドを前記タッチスクリーンの左側に表示するように制御することを特徴とする請求項３に記載の携帯端末機。
【請求項７】
前記制御部は、前記水平モードにおいて、前記タッチスクリーンの右側に配置された縦列単位のキーパッドの内の所定のキーパッドに対してホールドアンドドラッグ動作が右方向に向けて発生する場合、前記タッチスクリーンにてホールドされた所定の縦列単位のキーパッドをドラッグされた右方向に移動させることにより、前記ホールドされた所定の縦列単位のキーパッドを前記タッチスクリーンの右側に配置された縦列単位のキーパッドの変更された位置で表示するように制御することを特徴とする請求項３に記載の携帯端末機。
【請求項８】
携帯端末機の画面表示式キーパッド配置方法であって、
前記携帯端末機のタッチスクリーンに複数のキーを含むキーパッドを表示するステップと、
前記携帯端末機の垂直モードにおいて、前記キーパッドを前記タッチスクリーンの画面の下端に表示し、前記携帯端末機が水平モードに切り換わると、前記タッチスクリーンを制御して、デフォルトとして設定されたキーパッド又は以前の水平モードに従って前記キーパッドを前記タッチスクリーンの左側及び右側の各領域に分離し、前記タッチスクリーンに表示された前記キーパッドの前記各領域間の領域にキーを表示しない分離されたキーパッドを表示するステップと、
前記携帯端末機の前記水平モードが終了する場合に、水平モードで画面上の左側又は右側に配置されたキーパッドをメモリに記憶するステップと、を有し、
前記分離されたキーパッドを表示するステップは、前記キーパッドの分離された領域のうちの第１の領域に位置した第１のキーの列がホールドされ、前記ホールドされた第１のキーの列が第１の方向にドラッグされ、画面上の中央線を通過した直後にドラッグが終了する場合、前記ドラッグされた第１のキーの列を、前記キーパッドの分離された領域のうちの第２の領域の前記第１の領域と対向する側に再配置するステップと、
前記第２の領域に配置されたキーパッド内で前記ドラッグが終了する場合、前記ドラッグされた第１のキーの列を、前記ドラッグが終了した地点に配置された第２のキーの列の前又は次の列に再配置するステップと、を含むことを特徴とする携帯端末機の画面表示式キーパッド配置方法。
【請求項９】
前記キーパッドを前記タッチスクリーンの左側及び右側の各領域に分離した状態で、前記タッチスクリーンの前記右側に表示された第１の領域から前記タッチスクリーンの前記左側に表示された第２の領域に、ユーザにより選択された特定のキーの列の位置変更に対するホールドアンドドラッグ動作に応じて、前記タッチスクリーンの前記右側に表示された第１の領域から前記タッチスクリーンの前記左側に表示された第２の領域に前記選択された特定のキーの列の位置表示を変更し、
前記タッチスクリーンの前記左側に表示された第２の領域から前記タッチスクリーンの前記右側に表示された第１の領域に、ユーザにより選択された特定のキーの列の位置変更に対するホールドアンドドラッグ動作に応じて、前記タッチスクリーンの前記左側に表示された第２の領域から前記タッチスクリーンの前記右側に表示された第１の領域に前記選択された特定のキーの列の位置表示を変更することを特徴とする請求項８に記載の携帯端末機の画面表示式キーパッド配置方法。
【請求項１０】
水平モードにおいて、ホールドアンドドラッグ動作を介して縦列単位のキーパッドをドラッグされた方向に移動することにより、前記タッチスクリーンの左側及び右側の内の少なくともいずれか一側に縦列単位で分離して配置されるキーパッドを表示するステップをさらに有することを特徴とする請求項８に記載の携帯端末機の画面表示式キーパッド配置方法。
【請求項１１】
前記ドラッグされた方向に縦列単位のキーパッドを移動して表示するステップは、前記水平モードにおいて、前記画面の左側に配置された縦列単位のキーパッドの内の所定のキーパッドに対してホールドアンドドラッグ動作が発生する場合、前記ドラッグされた方向を判定するステップと、
前記ドラッグされた方向が右方向であると判定された場合、ホールドされた前記所定の縦列単位のキーパッドを右方向に移動させることにより前記タッチスクリーンの右側に表示するステップと、
前記ドラッグされた方向が左方向であると判定された場合、ホールドされた前記所定の縦列単位のキーパッドを左方向に移動させることにより前記画面の左側に配置された縦列単位のキーパッドの変更された位置で前記ホールドされた所定の縦列単位のキーパッドを表示するステップとを含むことを特徴とする請求項１０に記載の携帯端末機の画面表示式キーパッド配置方法。
【請求項１２】
前記ドラッグされた方向に縦列単位のキーパッドを移動して表示するステップは、前記水平モードにおいて、前記画面の右側に配置された縦列単位のキーパッドの内の所定のキーパッドに対してホールドアンドドラッグ動作が発生する場合、前記ドラッグされた方向を判定するステップと、
前記ドラッグされた方向が左方向であると判定された場合、ホールドされた前記所定の縦列単位のキーパッドを左方向に移動させることにより前記タッチスクリーンの左側に表示するステップと、
前記ドラッグされた方向が右方向であると判定された場合、ホールドされた前記所定の縦列単位のキーパッドを右方向に移動することにより前記画面の右側に配置された縦列単位のキーパッドの変更された位置で前記ホールドされた所定の縦列単位のキーパッドを表示するステップとを含むことを特徴とする請求項１０に記載の携帯端末機の画面表示式キーパッド配置方法。
【発明の詳細な説明】
【技術分野】
【０００１】
本発明は、携帯端末機及びその画面表示式キーパッド配置方法に関し、特に、携帯端末機における画面表示されたキーパッドでキー入力を便利に実行するための携帯端末機及びその画面表示式キーパッド配置方法に関する。
【背景技術】
【０００２】
携帯端末機の画面表示式キーパッド（タッチスクリーン形態）では、携帯端末機を（携帯端末機体の長辺方向あるいは表示部の長辺方向を）垂直方向に位置させる垂直モードで入力モードを実行する場合に、キーパッドは、表示部の画面の下端に表示され、入力モードでのキー入力は、表示されたキーパッド上で実行される。
また、携帯端末機を（携帯端末機体の長辺方向あるいは表示部の長辺方向を）水平方向に位置させる水平モードで入力モードを実行する場合にも、キーパッドは、表示部の画面の下端に表示され、入力モードでのキー入力は、表示されたキーパッド上で実行される。
携帯端末機の垂直モードにおいて、携帯端末機が垂直方向に位置しているために、キーパッドを表示部に表示しつつ画面に入力される内容を表示することができる。
【０００３】
しかしながら、携帯端末機の水平モードにおいて、携帯端末機が水平方向に位置しているために、水平モードでのキーパッドは、キーパッドが垂直モードにあるときより相対的にさらに大きい画面の部分を占める。
したがって、すべての入力内容を画面上に表示することができないという問題がある。
さらに、キーパッドの中央に配置されるキーを水平モードで使用することが不便であるという問題がある。
【先行技術文献】
【特許文献】
【０００４】
【特許文献１】韓国公開特許第２０１１−００８８４８６号公報
【特許文献２】韓国公開特許第２００９−００２４３４３号公報
【発明の概要】
【発明が解決しようとする課題】
【０００５】
本発明は上記従来の携帯端末機における問題点に鑑みてなされたものであって、本発明の目的は、ユーザが携帯端末機におけるキー入力を便利に実行するようにすることができる携帯端末機及びその画面表示式キーパッド配置方法を提供することにある。
【０００６】
本発明の他の目的は、携帯端末機が水平モードにある間にキー入力を便利に実行するための携帯端末機及びその画面表示式キーパッド配置方法を提供することにある。
本発明のもう一つの目的は、携帯端末機の水平モードにおいて表示部の画面上の入力内容をすべて表示するようにすることができる携帯端末機及びその画面表示式キーパッド配置方法を提供することにある。
【課題を解決するための手段】
【０００７】
上記目的を達成するためになされた本発明による携帯端末機は、複数のキーを含むキーパッドを表示するタッチスクリーンと、前記携帯端末機の水平モードが終了する場合に、水平モードで画面上の左側又は右側に配置されたキーパッドを記憶するメモリと、前記携帯端末機の垂直モードにおいて、前記キーパッドを前記タッチスクリーンの画面の下端に表示し、前記携帯端末機が水平モードに切り換わると、前記タッチスクリーンを制御して、デフォルトとして設定されたキーパッド又は以前の水平モードに従って前記キーパッドを前記タッチスクリーンの左側及び右側の各領域に分離し、前記タッチスクリーンに表示された前記キーパッドの前記各領域間の領域にキーを表示しない分離されたキーパッドを表示する制御部と、を有し、前記制御部は、前記キーパッドの分離された領域のうちの第１の領域に位置した第１のキーの列がホールドされ、前記ホールドされた第１のキーの列が第１の方向にドラッグされ、画面上の中央線を通過した直後にドラッグが終了する場合、前記ドラッグされた第１のキーの列を、前記キーパッドの分離された領域のうちの第２の領域の前記第１の領域と対向する側に再配置し、前記第２の領域に配置されたキーパッド内で前記ドラッグが終了する場合、前記ドラッグされた第１のキーの列を、前記ドラッグが終了した地点に配置された第２のキーの列の前又は次の列に再配置するように制御することを特徴とする。
【０００８】
上記目的を達成するためになされた本発明による携帯端末機の画面表示式キーパッド配置方法は、前記携帯端末機のタッチスクリーンに複数のキーを含むキーパッドを表示するステップと、前記携帯端末機の垂直モードにおいて、前記キーパッドを前記タッチスクリーンの画面の下端に表示し、前記携帯端末機が水平モードに切り換わると、前記タッチスクリーンを制御して、デフォルトとして設定されたキーパッド又は以前の水平モードに従って前記キーパッドを前記タッチスクリーンの左側及び右側の各領域に分離し、前記タッチスクリーンに表示された前記キーパッドの前記各領域間の領域にキーを表示しない分離されたキーパッドを表示するステップと、前記携帯端末機の前記水平モードが終了する場合に、水平モードで画面上の左側又は右側に配置されたキーパッドをメモリに記憶するステップと、を有し、前記分離されたキーパッドを表示するステップは、前記キーパッドの分離された領域のうちの第１の領域に位置した第１のキーの列がホールドされ、前記ホールドされた第１のキーの列が第１の方向にドラッグされ、画面上の中央線を通過した直後にドラッグが終了する場合、前記ドラッグされた第１のキーの列を、前記キーパッドの分離された領域のうちの第２の領域の前記第１の領域と対向する側に再配置するステップと、前記第２の領域に配置されたキーパッド内で前記ドラッグが終了する場合、前記ドラッグされた第１のキーの列を、前記ドラッグが終了した地点に配置された第２のキーの列の前又は次の列に再配置するステップと、を含むことを特徴とする。
【発明の効果】
【０００９】
本発明に係る携帯端末機及びその画面表示式キーパッド配置方法によれば、携帯端末機の水平モードにおいて、キーパッドが画面の右側及び左側のうちの少なくともいずれか一側に表示される場合に、ユーザは、キー入力を便利に実行することができ、同時に上記表示されるキーパッドに隣接する垂直領域はキーパッドが表示されない。
したがって、上記画面の上記隣接した領域の完全な垂直領域は、入力される内容を表示するために使用されるという効果がある。
【図面の簡単な説明】
【００１０】
【図１】本発明の実施形態による携帯端末機の構成を示すブロック図である。
【図２】本発明の実施形態による携帯端末機におけるキーパッドを配置する工程を説明するためのフローチャートである。
【図３】（ａ）〜（ｄ）本発明の実施形態による携帯端末機のキーパッドを示す図である。
【発明を実施するための形態】
【００１１】
次に、本発明に係る携帯端末機及びその画面表示式キーパッド配置方法を実施するための形態の具体例を図面を参照しながら説明する。
【００１２】
下記の説明において、同一の構成要素及び部分には、可能な限り同一の符号及び番号を共通使用するものとする。
また、明瞭性と簡潔性の観点から、本発明に関連した公知の機能や構成に関する具体的な説明が本発明の要旨を不明瞭にすると判断される場合には、その詳細な説明を省略する。
【００１３】
図１は、本発明の実施形態による携帯端末機の構成を示すブロック図である。
図１を参照すると、無線周波数（ＲＦ）部１２３は、携帯端末機の無線通信機能を実行する。
ＲＦ部１２３は、送信信号の周波数をアップコンバートし、アップコンバートされた送信信号を増幅するＲＦ送信器と、受信信号を低雑音増幅し、増幅された受信信号の周波数をダウンコンバートするＲＦ受信器とを含む。
【００１４】
データ処理部１２０は、送信信号の符号化及び変調のための送信器及び受信信号の復調及び復号化のための受信器を含む。
言い換えれば、データ処理部１２０は、モデム（ＭＯＤＥＭ）及びコーデック（ＣＯＤＥＣ）を含むことができる。
コーデックは、パケットデータなどを処理するデータコーデックと音声のようなオーディオ信号を処理するオーディオコーデックとを含む。
【００１５】
オーディオ処理部１２５は、データ処理部１２０内のオーディオコーデックから出力される受信オーディオ信号を再生し、マイクロフォンにより発生される送信オーディオ信号をデータ処理部１２０内のオーディオコーデックに転送する。
メモリ１３０は、プログラムメモリとデータメモリとを含むことができる。
【００１６】
プログラムメモリは、携帯端末機の一般的な動作を制御するためのプログラムを格納することができる。また、プログラムメモリは、携帯端末機の水平モードで画面上の左側及び／又は右側にキーパッドを表示するように表示部１６０を制御するプログラムを記憶することができる。
データメモリは、プログラムを実行する間に発生するデータを一時的に記憶することができる。
また、本発明の実施形態に従って携帯端末機の水平モードが終了する場合に、メモリ１３０は、水平モードで画面上の左側及び／又は右側に配置されたキーパッドを記憶することができる。
【００１７】
制御部１１０は、携帯端末機の全般的な動作を制御する。
本発明の実施形態に従って、携帯端末機の水平モードの間に、制御部１１０は、表示部１６０の画面上の左側及び／又は右側にキーパッドを表示するように表示部１６０を制御する。
また、本発明の実施形態に従って、携帯端末機の水平モードにおいて入力モードへの切り替えが判定された場合、制御部１１０は、表示部１６０の画面上の左側及び／又は右側にキーパッドを表示するように表示部１６０を制御する。
また、携帯端末機が水平モードに切り換わる場合、制御部１１０は、以前の水平モードに従って表示部１６０の画面上の左側及び／又は右側に配置されたキーパッドを表示するように表示部１６０を制御することができる。
【００１８】
上述したように、携帯端末機が水平モードにある場合に（すなわち、画面が水平方向に位置する場合に）、キーパッドが画面上の右側及び／又は左側に表示され、ユーザは、キー入力を便利に実行することができ、同時に表示されるキーパッドに隣接する画面の垂直領域はキーパッドが表示されない。したがって、画面の隣接した領域の完全な垂直領域は、入力される内容を表示するために使用することができる。
【００１９】
また、以下では、本発明の他の実施形態に従って、ユーザが表示部１６０の画面上でキーパッドを右側及び／又は左側に配置する方法について詳細に説明する。
より具体的には、制御部１１０は、本発明の実施形態に従って、携帯端末機のユーザにより実行されるホールドアンドドラッグ動作（ｈｏｌｄ−ａｎｄ−ｄｒａｇ  ｏｐｅｒａｔｉｏｎ）を介してドラッグされた方向に従って縦列単位のキーを移動することにより表示部１６０の画面上の左側及び／又は右側に配置される縦列単位で分離されたキーパッドを表示するように表示部１６０を制御することができる。
【００２０】
また、本発明の実施形態に従って、携帯端末機の水平モードにおいて、表示部１６０の画面上の左側に配置されたキーパッドの所定の縦列キーに対してホールドアンドドラッグ動作が発生する場合、制御部１１０は、ホールドされた所定の縦列キーを右方向（ドラッグされた方向）に移動させることにより、表示部１６０の画面上の右側にホールドされた所定の縦列キーを表示するように表示部１６０を制御することができる。
この場合に、制御部１１０は、右方向のドラッグ動作が画面上の中央線を通過する場合に、ホールドされた所定の縦列キーを表示部１６０の画面上の右側に表示するように表示部１６０を制御することができる。
【００２１】
また、本発明の実施形態に従って、携帯端末機の水平モードにおいて、表示部１６０の画面上の左側に配置されたキーパッドの内の所定の縦列キーパッドに対してホールドアンドドラッグ動作が発生する場合、制御部１１０は、ホールドされた所定の縦列キーパッドを左方向（ドラッグされた方向）に移動させることにより左側に配置されたキーパッドの変更された位置で表示するように表示部１６０を制御することができる。
【００２２】
また、本発明の実施形態に従って、携帯端末機の水平モードにおいて、表示部１６０の画面上の右側に配置されたキーパッドの内の所定の縦列キーパッドに対してホールドアンドドラッグ動作が発生する場合、制御部１１０は、ホールドされた所定の縦列キーパッドを左方向（ドラッグされた方向）に移動させることにより、表示部１６０の画面上の左側に表示するように表示部１６０を制御することができる。
この場合に、制御部１１０は、左方向のドラッグ動作が画面上の中央線を通過する場合に、ホールドされた所定の縦キーを表示部１６０の画面上の左側に表示するように表示部１６０を制御することができる。
【００２３】
また、本発明の実施形態に従って、携帯端末機の水平モードにおいて、表示部１６０の画面上の右側に配置されたキーパッドの内の所定の縦列キーパッドに対してホールドアンドドラッグ動作が発生する場合、制御部１１０は、ホールドされた所定の縦列キーパッドを右方向（ドラッグされた方向）に移動させることにより右側に配置されたキーパッドの変更された位置で表示するように表示部１６０を制御することができる。
【００２４】
カメラ部１４０は、画像データを光学的に撮影し、光学的に撮影された画像データを電気画像信号に変換するカメラセンサーと、この電気画像信号をディジタルデータに変換する信号処理部とを含む。
ここで、カメラセンサーは、電荷結合素子（Ｃｈａｒｇｅ−Ｃｏｕｐｌｅｄ  Ｄｅｖｉｃｅ：ＣＣＤ）又は相補型金属酸化物半導体（Ｃｏｍｐｌｅｍｅｎｔａｒｙ  Ｍｅｔａｌ  Ｏｘｉｄｅ  Ｓｅｍｉｃｏｎｄｕｃｔｏｒ：ＣＭＯＳ）センサーと仮定し、信号処理部は、ディジタル信号プロセッサー（Ｄｉｇｉｔａｌ  Ｓｉｇｎａｌ  Ｐｒｏｃｅｓｓｏｒ：ＤＳＰ）により実現することができる。カメラセンサー及び信号処理部は、一体型又は分離型で実現することができる。
【００２５】
画像処理部１５０は、カメラ部１４０から出力される画像信号を表示部１６０上に表示するためのイメージ信号プロセッシング（Ｉｍａｇｅ  Ｓｉｇｎａｌ  Ｐｒｏｃｅｓｓｉｎｇ：ＩＳＰ）を実行し、ＩＳＰは、ガンマ補正、補間、空間的変化、イメージ効果、イメージスケーリング、自動ホワイトバランス（Ａｕｔｏｍａｔｉｃ  Ｗｈｉｔｅ  Ｂａｌａｎｃｅ：ＡＷＢ）、自動露出（Ａｕｔｏｍａｔｉｃ  Ｅｘｐｏｓｕｒｅ：ＡＥ）、及び自動焦点（Ａｕｔｏｍａｔｉｃ  Ｆｏｃｕｓｉｎｇ：ＡＦ）のような機能を実行する。
【００２６】
したがって、画像処理部１５０は、カメラ部１４０から出力される画像信号をフレーム単位で処理し、フレーム単位の画像データを表示部１６０の特性及びサイズに従って出力する。
画像処理部１５０は、ビデオコーデック（ｖｉｄｅｏ  ｃｏｄｅｃ）を含み、表示部１６０上に表示されるフレーム画像データを予め設定されたコーディング（ｃｏｄｉｎｇ）で圧縮し、圧縮されたフレーム画像データを元来のフレーム画像データに復元する。
【００２７】
ここで、ビデオコーデックは、ＪＰＥＧコーデック、ＭＰＥＧ４コーデック、ウェーブレット（Ｗａｖｅｌｅｔ）コーデックなどを含むことができる。
画像処理部１５０がオンスクリーンディスプレイ（Ｏｎ−Ｓｃｒｅｅｎ  Ｄｉｓｐｌａｙ：ＯＳＤ）機能を含むと仮定すると、制御部１１０は、データが表示される画面のサイズに従ってＯＳＤデータを出力するように画像処理部１５０を制御することができる。
【００２８】
表示部１６０は、画像処理部１５０から出力される画像及び制御部１１０から出力されるユーザデータを画面上に表示する。
表示部１６０は、タッチスクリーン（ｔｏｕｃｈ  ｓｃｒｅｅｎ）方式で実現されることにより入力部として機能する。
この場合、入力部として機能する表示部１６０は、数字及び文字情報を入力するためのキー及び各種機能を設定するための機能キーを含むキーパッドを表示する。
【００２９】
また、本発明の実施形態に従って、表示部１６０は、携帯端末機の水平モードにおいて画面上の左側及び／又は右側にキーパッドを表示することができ、キーパッドは、列単位で分離することができる。この場合に、キーパッドの縦列単位のキーパッドに配置されたキーは、携帯端末機の垂直モードで表示されるキーパッドの縦列単位のキーパッドに配置されたキーと同一に表示することができる。
【００３０】
図２は、本発明の実施形態による携帯端末機におけるキーパッドを配置する工程を説明するためのフローチャートであり、図３（ａ）〜（ｄ）は、本発明の実施形態による携帯端末機のキーパッドを示す図である。
【００３１】
図２を参照すると、携帯端末機が水平方向に位置した水平モードであるステップＳ２０１において、携帯端末機を入力動作を実行するための入力モードに切り換える場合、制御部１１０は、ステップＳ２０２において、これを感知し、表示部１６０の画面上の左側及び／又は右側にキーパッドを表示するステップＳ２０３に進む。
【００３２】
あるいは、携帯端末機が入力モードにある場合において、携帯端末機が水平モードに切り替えられたと判定された場合、制御部１１０は、ステップＳ２０３において、表示部１６０が表示部１６０の画面上の左側及び／又は右側にキーパッドを表示するように制御する。
【００３３】
ステップＳ２０３において、制御部１１０は、表示部１６０がデフォルトとして設定されたキーパッド又は以前の水平モードに従って表示部１６０の画面上の左側及び／又は右側に配置されたキーパッドを表示するように制御する。
したがって、携帯端末機が水平モードに切り換わる場合、制御部１１０は、表示部１６０が表示部１６０の画面上の左側及び右側の各々にキーパッドを表示するか、表示部１６０の画面上の左側のみにキーパッドを表示するか、又は表示部１６０の画面上の右側のみにキーパッドを表示するように制御する。
【００３４】
表示部１６０の画面上の左側及び／又は右側に表示されるキーパッドは、縦列単位で分離することができ、キーパッドの縦列単位のキーパッドに配置されたキーは、携帯端末機の垂直モードで表示されるキーパッドの縦列単位のキーパッドに配置されたキーと同一に表示することができる。
【００３５】
ステップＳ２０３において、表示部１６０の画面上の左側及び／又は右側にキーパッドを表示する間に、ホールドアンドドラッグ動作が画面上の左側に配置された縦列単位のキーパッドの内の所定のキーパッドに対して右方向に発生する場合に、制御部１１０は、ステップＳ２０４でこれを感知し、ステップＳ２０５において、表示部１６０の画面の左側に配置されたキーパッドの内でホールドされた所定の縦列単位のキーパッドを表示部１６０の画面の右側に配置されたキーパッドに移動させることによりキーパッドを再配置するように制御する。
【００３６】
この場合、ホールドされた所定の縦列単位のキーパッドが画面の中央を通過した後にドラッグ動作が終了する場合に、制御部１１０は、表示部１６０がホールドされた所定の縦列単位のキーパッドを表示部１６０の画面の右側に配置された縦列単位のキーパッドの中のもっとも左の位置に移動させることによりキーパッドを再配置するように制御する。
ホールドされた所定の縦列単位のキーパッドが画面の右側に配置された縦列単位のキーパッドの内の所定の縦列単位のキーパッドでドラッグ動作が終了する場合、制御部１１０は、表示部１６０がホールドされた所定の縦列単位のキーパッドを画面の右側に配置されたキーパッドの内でドラッグ動作が終了した所定の縦列単位のキーパッドの前又は次の縦列単位のキーパッドに移動させることによりキーパッドを再配置するように制御する。
【００３７】
他方、ステップＳ２０３において、表示部１６０の画面の左側及び／又は右側にキーパッドを表示する間に、ホールドアンドドラッグ動作が画面の左側に配置された縦列単位のキーパッドの内の所定のキーパッドに対して左方向に発生する場合に、制御部１１０は、これを感知し、表示部１６０がホールドされた所定の縦列単位のキーパッドを左側方向に移動させることによりキーパッドを再配置することにより、ホールドされた所定の縦列単位のキーパッドの位置が表示部１６０の画面の左側に配置された縦列単位のキーパッドで変更されるように制御する。
【００３８】
この場合に、ホールドされた所定の縦列単位のキーパッドが画面の左側に配置された縦列単位のキーパッドの内の所定のキーパッドが位置する所でドラッグ動作が終了する場合、制御部１１０は、表示部１６０がホールドされた所定の縦列単位のキーパッドを画面の左側に配置された縦列単位のキーパッドの内でドラッグ動作が終了した所定の縦列単位のキーパッドの前又は次の縦列単位のキーパッドに移動させることによりキーパッドを再配置するように制御する。
【００３９】
他方、ステップＳ２０３において、表示部１６０の画面の左側及び／又は右側にキーパッドを表示する間に、ホールドアンドドラッグ動作が画面の右側に配置された縦列単位のキーパッドの内の所定のキーパッドに対して左方向に発生する場合、制御部１１０は、ステップＳ２０６でこれを感知し、ステップＳ２０７に進み、表示部１６０がホールドされた所定の縦列単位のキーパッドを表示部１６０の画面の左側に配置された縦列単位のキーパッドに移動させることによりキーパッドを再配置するように制御する。
【００４０】
この場合に、ホールドされた所定の縦列単位のキーパッドが画面の中央を通過した後にドラッグ動作が終了する場合、制御部１１０は、表示部１６０がホールドされた所定の縦列単位のキーパッドを表示部１６０の画面の左側に配置された縦列単位のキーパッドの内のもっとも右の位置に移動させることによりキーパッドを再配置するように制御する。
ホールドされた所定の縦列単位のキーパッドが画面の左側に配置された縦列単位のキーパッドの内の所定のキーパッドが位置する所でドラッグ動作が終了する場合、制御部１１０は、表示部１６０がホールドされた所定の縦列単位のキーパッドを画面の左側に配置された縦列単位のキーパッドの内でドラッグ動作が終了した所定の縦列単位のキーパッドの前又は次の縦列単位のキーパッドに移動させることによりキーパッドを再配置するように制御する。
【００４１】
他方、ステップＳ２０３において、表示部１６０の画面の左側及び／又は右側にキーパッドを表示する間に、ホールドアンドドラッグ動作が画面の右側に配置された縦列単位のキーパッドの内の所定のキーパッドに対して右方向に発生する場合、制御部１１０はこれを感知し、表示部１６０がホールドされた所定の縦列単位のキーパッドを右側に再配置することにより、ホールドされた所定の縦列単位のキーパッドの位置が表示部１６０の画面の右側に配置された縦列単位のキーパッドで変更されるように制御する。
【００４２】
この場合に、ホールドされた所定の縦列単位のキーパッドが画面の右側に配置された縦列単位のキーパッドの内の所定のキーパッドが位置する所でドラッグ動作が終了する場合、制御部１１０は、表示部１６０がホールドされた所定の縦列単位のキーパッドを画面の右側に配置された縦列単位のキーパッドの内でドラッグ動作が終了した所定の縦列単位のキーパッドの前又は次の縦列単位のキーパッドに移動させることによりキーパッドを再配置するように制御する。
【００４３】
図３（ａ）は、携帯端末機の水平モードにおいて、表示部１６０の画面の左側に配置された縦列単位のキーパッド（Ａ）及び（Ｂ）と画面の右側に配置されたキーパッド（Ｃ）及び（Ｄ）とを示す。
図３（ａ）において、ホールドアンドドラッグ動作が画面の右側に配置された縦列単位のキーパッド（Ｃ）及び（Ｄ）のうちの所定のキーパッド（Ｃ）に対して左方向に発生する時、左方向のドラッグ動作がホールドされた所定の縦列単位のキーパッド（Ｃ）が画面の中央線ａを通過した直後に左方向のドラッグ動作が終了する場合、図３（ｂ）に示すように、画面の右側に配置された縦列単位のキーパッド（Ｃ）及び（Ｄ）の内の所定のキーパッド（Ｃ）は、画面の左側に配置された縦列単位のキーパッド（Ａ）及び（Ｂ）のもっとも右の位置に移動され再配置される。
【００４４】
図３（ｂ）において、ホールドアンドドラッグ動作が画面の左側に配置された縦列単位のキーパッド（Ａ）、（Ｂ）、及び（Ｃ）の内の所定のキーパッド（Ｃ）に対して右方向に発生する時、右方向のドラッグ動作がホールドされた所定の縦列単位のキーパッド（Ｃ）が画面の中央線ａを通過した直後に右方向のドラッグ動作が終了し、その後に、他のホールドアンドドラッグ動作が画面の左側に配置された縦列単位のキーパッド（Ａ）、（Ｂ）、及び（Ｃ）の内の所定のキーパッド（Ｂ）に対して右方向に発生する場合に、ホールドされた所定の縦列単位のキーパッド（Ｂ）が画面の中央線ａを通過した直後に右方向のドラッグ動作が終了する場合、画面の左側に配置された縦列単位のキーパッド（Ａ）、（Ｂ）、及び（Ｃ）の内のホールドされた所定の縦列単位のキーパッド（（Ｃ）及び（Ｂ））は、図３（ｃ）に示すように、画面の右側に配置された縦列単位のキーパッド（Ｄ）の内のもっとも左の位置に移動され、移動された順序に再配置される。
【００４５】
図３（ｃ）において、ホールドアンドドラッグ動作が画面の右側に配置された縦列単位のキーパッド（Ｂ）、（Ｃ）、及び（Ｄ）の内の所定のキーパッド（Ｂ）に対して右方向に発生する時、ホールドされた所定の縦列単位のキーパッド（Ｂ）が画面の右側に配置された縦列単位のキーパッド（Ｂ）、（Ｃ）、及び（Ｄ）の内の所定のキーパッド（Ｃ）が位置する所でドラッグ動作が終了する場合に、画面の右側に配置された縦列単位のキーパッド（Ｂ）、（Ｃ）、及び（Ｄ）のうちのホールドされた所定のキーパッド（Ｂ）は、ドラッグ動作が終了した所定のキーパッド（Ｃ）の次のキーパッドに移動され位置が変更される（図３（ｄ））。
【００４６】
上述したように、携帯端末機の水平モードで表示部の画面の左側及び／又は右側に配置されたキーパッドを用いて入力動作を実行する時に、画面でキーパッドが表示されず、画面と同一の高さを有する中央の垂直領域で携帯端末機の垂直モードにおけるように入力される内容をすべて確認することができる。
また、本発明の実施形態では、キーパッドの内で縦列単位のキーパッドの移動のみについて説明しているが、横行単位のキーパッドの移動もホールドアンドドラッグ動作を介して同一に動作することができる。
また、本発明の実施形態では、キーパッドの縦列単位の移動のみについて説明しているが、キーパッドの各キーに割り当てられた文字／数字もホールドアンドドラッグ動作を介して所望のキーパッドのキー位置に移動し再配置することができる。
【００４７】
上述したように、携帯端末機の水平モードにおいて表示部の画面上でキーパッドを左側及び／又は右側に表示する提案された携帯端末機におけるキーパッドを配置する装置及び方法は、携帯端末機の水平モードにおいてキーパッドが表示部の画面の右側及び／又は左側に表示される時、ユーザは、携帯端末機の水平モードにおいてキー入力を便利に実行することができ、同時に表示されるキーパッドに隣接する画面の垂直領域はキーパッドが表示されない。
したがって、画面の隣接した領域の完全な垂直領域は、入力される内容を表示するために使用される。
【００４８】
尚、本発明は、上述の実施形態に限られるものではない。本発明の技術的範囲から逸脱しない範囲内で多様に変更実施することが可能である。
【符号の説明】
【００４９】
１１０    制御部
１２０    データ処理部
１２３    無線周波数（ＲＦ）部
１２５    オーディオ処理部
１３０    メモリ
１４０    カメラ部
１５０    画像処理部
１６０    表示部
【図１】
0006543434.tif 000002
【図２】
0006543434.tif 000003
【図３】
0006543434.tif 000004